(57)【要約】      （修正有）【課題】ノズル孔から滴下する液滴に気泡が含まれる不具合を防止した薬液容器の中栓を提供する。【解決手段】容器Ｃの口部Ｃ1 に装着するノズル部１２付きの中栓１０に対し、縦長のチャンバ１２ｃと、薬液の流通経路の狭窄部としての小孔１４ａとを設け、チャンバ１２ｃ内の薬液の流下速度を薬液中の気泡の浮上速度より小さくする。【選択図】図２
2008037481.tif 000002
【特許請求の範囲】
【請求項１】
容器の口部に装着するスカート部と、該スカート部の上方に突出するノズル部と、該ノズル部の先端のノズル孔に連通する縦長のチャンバとを一体成形してなり、容器の内部から前記チャンバに至る薬液の流通経路には、流量を制限する狭窄部を設け、前記ノズル孔から薬液を滴下させる際に、前記チャンバ内の薬液の流下速度を薬液中の気泡の浮上速度より小さくすることを特徴とする薬液容器の中栓。
【請求項２】
前記狭窄部は、前記チャンバの下端の仕切壁に小孔として設けることを特徴とする請求項１記載の薬液容器の中栓。
【請求項３】
前記狭窄部は、前記スカート部に内装する栓体に小孔として設けることを特徴とする請求項１記載の薬液容器の中栓。
【発明の詳細な説明】
【技術分野】
【０００１】
この発明は、たとえば目薬、点滴剤、滴定試薬などのように、所定量の薬液を液滴として滴下させて使用する用途に好適な薬液容器の中栓に関する。
【背景技術】
【０００２】
薬液を液滴として滴下させて使用する場合、各液滴のサイズを適切にコントロールすることが必要である。そこで、滴下ノズルの基部の入口断面積より小さな有効断面積の絞り装置を滴下ノズルの下部に配置することが提案されている（たとえば特許文献１）。
【０００３】
この提案は、容器の口部に装着する中栓の滴下ノズルの下側に、滴下ノズルの入口断面積より小さな断面積の流通孔を有する隔壁を設け、滴下ノズルと隔壁との間に中間チャンバを設けている。そこで、このものは、隔壁の流通孔を介して容器内の薬液を極く少量ずつ滴下ノズルに供給することにより、滴下ノズルから常に適切なサイズの液滴を滴下させることができ、たとえば薬液が不用意にストリーム状に流出したり、極端なサイズの液滴が生じたり、多数の液滴が連続的に発生したりする不具合を防止することができる。なお、多数の液滴が不用意に連続的に生じる現象は、いわゆる「液走り」として知られている。
【特許文献１】特表２００４−５２９８２７号公報
【発明の開示】
【発明が解決しようとする課題】
【０００４】
かかる従来技術によるときは、滴下ノズルから滴下される液滴に気泡が含まれることがあり、液滴のサイズにばらつきを生じたり、不用意に液滴が弾けて周囲に飛散したりすることがあるという問題があった。なお、この現象は、「泡噛み」などと呼ばれており、中間チャンバや、小断面積の流通孔付きの隔壁を設けない場合には、一層顕著であり、普通に見られる不具合である。
【０００５】
そこで、この発明の目的は、かかる従来技術の問題に鑑み、ノズル孔に連通する縦長のチャンバと、薬液の流量を制限する狭窄部とを適切に組み合わせることによって、ノズル孔からの液滴に気泡が含まれることに起因する泡噛みの不具合を有効に排除することができる薬液容器の中栓を提供することにある。
【課題を解決するための手段】
【０００６】
かかる目的を達成するためのこの発明の構成は、容器の口部に装着するスカート部と、スカート部の上方に突出するノズル部と、ノズル部の先端のノズル孔に連通する縦長のチャンバとを一体成形してなり、容器の内部からチャンバに至る薬液の流通経路には、流量を制限する狭窄部を設け、ノズル孔から薬液を滴下させる際に、チャンバ内の薬液の流下速度を薬液中の気泡の浮上速度より小さくすることをその要旨とする。
【０００７】
なお、狭窄部は、チャンバの下端の仕切壁に小孔として設けることができ、スカート部に内装する栓体に小孔として設けることができる。
【発明の効果】
【０００８】
かかる発明の構成によるときは、狭窄部は、容器の内部からチャンバに至る薬液の流通経路に設けられ、薬液の流量を制限することにより、チャンバ内の薬液の流下速度を薬液中の気泡の浮上速度より小さくすることができる。そこで、薬液は、チャンバ内において有効に気水分離されるから、チャンバに連通するノズル孔から滴下する液滴に気泡が含まれることがなく、泡噛みの不具合や、液走りなどの不具合がない。なお、チャンバ内の液面の上昇速度を気泡の浮上速度より小さくするためには、狭窄部における薬液の最大流量Ｑ、チャンバの断面積Ｓ、薬液中の気泡の浮上速度Ｖとして、Ｖ＞Ｑ／Ｓとすればよい。たとえば、チャンバの下端の仕切壁に設ける小孔を狭窄部とする場合、小孔の内径０．３≦ｄ≦０．５mmとして、チャンバの内径Ｄ≧５ｄ、チャンバの長さＬ≧８mm程度とすることが好ましい。また、ノズル孔の最小径ｄa は、ｄ＜ｄa ＜Ｄとし、ノズル孔の最大径を含む内部形状は、薬液の性状や液滴の所要サイズなどに基づき適切に定めるものとする。
【０００９】
狭窄部は、スカート部に内装する栓体に設けてもよい。すなわち、円筒形の栓体の中間、下端または上端を仕切る仕切壁に対し、小孔を形成して狭窄部とすることができる。
【発明を実施するための最良の形態】
【００１０】
以下、図面を以って発明の実施の形態を説明する。
【００１１】
薬液容器の中栓１０は、容器Ｃの口部Ｃ1 に装着するスカート部１１と、スカート部１１の上方に突出するノズル部１２とを備えてなる（図１、図２）。
【００１２】
容器Ｃは、可撓性のプラスチック容器であって、手指で胴部を押圧して弾性変形させることにより、内部の薬液を排出させることができる。なお、容器Ｃの具体的な形状は、単純な円筒形などの他、たとえば図２の紙面に平行な寸法より紙面に垂直な寸法が大きい偏平形状などを含む任意形状である。
【００１３】
中栓１０は、中間のフランジ部１３の上下に、ノズル部１２、スカート部１１を一体成形して構成されている。スカート部１１は、容器Ｃの口部Ｃ1 に適合するものとし、中栓１０は、フランジ部１３の下面を口部Ｃ1 の上端に当接させるようにしてスカート部１１を口部Ｃ1 に圧入することにより、口部Ｃ1 に装着されている。なお、スカート部１１の外周には、口部Ｃ1 の内周の係合凹溝Ｃ1aに対応する係合突条１１ａが形成されており、したがって、中栓１０は、係合突条１１ａが係合凹溝Ｃ1aに係合することにより抜け止めされている。
【００１４】
スカート部１１の天面は、フランジ部１３とほぼ同一高さの仕切壁１４となっている。また、仕切壁１４の中心、すなわち中栓１０の軸心Ａ上には、内径ｄの小孔１４ａが形成されている。スカート部１１の上部には、フィルタ１５が内装されており、フィルタ１５は、スカート部１１の内周の係合突条１１ｂを介して抜け止めされている。フィルタ１５の上面が当接する仕切壁１４の下面には、小孔１４ａを中心とするチャンネル状の溝１４ｂ、１４ｂ…をたとえば十字状に形成することにより、フィルタ１５の有効面積を大きくして変形を防止することができる。ただし、各溝１４ｂは、小孔１４ａと同心の大径の座ぐり穴１４ｃに開口している。なお、フィルタ１５は、これを省略してもよく、そのとき、座ぐり穴１４ｃ、溝１４ｂ、１４ｂ…も省略可能である。
【００１５】
ノズル部１２の先端には、上向きに開拡するノズル孔１２ａが軸心Ａ上に形成されている。ノズル孔１２ａの基部側には、ノズル孔１２ａの最小径ｄa を規定する平行部１２ｂが形成されている。
【００１６】
ノズル部１２内には、長さＬ、内径Ｄの縦長のチャンバ１２ｃが軸心Ａ上に形成されている。小孔１４ａの内径ｄ＝０．３〜０．５mmとして、チャンバ１２ｃの内径Ｄ≧５ｄ、ノズル孔１２ａの最小径ｄa ＝ｄ〜Ｄとなっており、チャンバ１２ｃの長さＬ≧８mmとなっている。また、チャンバ１２ｃは、平行部１２ｂを介してノズル孔１２ａに連通しており、チャンバ１２ｃの下端は、小孔１４ａを有する仕切壁１４を介して区切られている。
【００１７】
容器Ｃの口部Ｃ1 には、ねじ式のキャップ３０が付属している。キャップ３０は、天面のシール部３１を介してノズル部１２のノズル孔１２ａを封止することができる。なお、キャップ３０の外面には、ローレット３２、３２…が形成され、キャップ３０は、下部内面の雌ねじ３３、口部Ｃ1 の外面の雄ねじＣ2 を介して口部Ｃ1 に着脱することができる。
【００１８】
キャップ３０を取り外して全体を倒立させ（図３）、容器Ｃを押圧して弾性変形させると、容器Ｃの内圧が高くなり、容器Ｃ内の薬液をノズル部１２の先端のノズル孔１２ａから液滴ＬＤとして滴下させることができる。すなわち、容器Ｃ内の薬液は、小孔１４ａを介してチャンバ１２ｃに流入し、チャンバ１２ｃ内において一旦滞留しながら平行部１２ｂを介してノズル孔１２ａに流出し、液滴ＬＤとして成長することによりノズル孔１２ａから分離して自由落下する。
【００１９】
そこで、中栓１０には、小孔１４ａを介し、容器Ｃの内部からチャンバ１２ｃ、ノズル部１２の平行部１２ｂ、ノズル孔１２ａに至る薬液の流通経路が形成されている。また、小孔１４ａは、このような薬液の流通経路において、薬液の流量を制限する狭窄部となっている。よって、小孔１４ａにおける薬液の最大流量Ｑ、チャンバ１２ｃの断面積Ｓ＝πＤ2 ／４、チャンバ１２ｃ内における薬液中の気泡の浮上速度Ｖとして、Ｖ＞Ｑ／Ｓに設定することにより、チャンバ１２ｃ内の薬液の流下速度を気泡の浮上速度Ｖより小さくすることができ、チャンバ１２ｃからノズル孔１２ａに流出する薬液中に気泡が含まれることがなく、泡噛みの不具合を有効に防止することができる。また、このとき、小孔１４ａによって最大流量Ｑが絞られるため、液走りなどの不具合もない。
【他の実施の形態】
【００２０】
中栓１０のスカート部１１には、小孔２２ａを有する栓体２０を内装することができる（図４、図５）。ただし、図４（Ａ）、（Ｂ）は、それぞれ図１相当の要部模式組立図、栓体２０の全体斜視図である。
【００２１】
栓体２０は、円筒体２１の中間部に仕切壁２２を設け、仕切壁２２の中心に小孔２２ａを形成している。円筒体２１の外周両端部には、滑らかな円弧状の切欠き２１ａ、２１ａが全周に形成され、円筒体２１の外径は、スカート部１１の内径に適合する。栓体２０は、スカート部１１に圧入し、スカート部１１の内周の係合突条１１ｂを越えることにより抜け止めされている。そこで、栓体２０の小孔２２ａは、容器Ｃの内部から中栓１０のチャンバ１２ｃに至る薬液の流通経路において、薬液の流量を制限する狭窄部を形成している。
【００２２】
栓体２０は、小孔２２ａを設ける仕切壁２２を円筒体２１の下端に形成し、全体として有底円筒状に形成することができる（図６）。ただし、図６（Ａ）、（Ｂ）は、それぞれ図１相当の要部模式組立図、栓体２０の全体斜視図である。
【００２３】
栓体２０の外周上端には、直線的な斜面の切欠き２１ａが全周に形成され、中栓１０には、チャンバ１２ｃを下向きに延長するようにして、補助スカート１２ｄがスカート部１１の天面に垂設されている。なお、補助スカート１２ｄの下部外周は、テーパ状に先細になっており、栓体２０は、補助スカート１２ｄに対して外側から嵌合させるようにしてスカート部１１に内装されている。栓体２０の底部の小孔２２ａは、薬液の流通経路の狭窄部を形成しており、栓体２０は、補助スカート１２ｄとともに、ノズル部１２の見掛けの長さＬ1 ＜Ｌとして使い勝手を向上させることができる。
【００２４】
以上の説明において、栓体２０は、図４、図５のように上下対称に形成することにより、中栓１０のスカート部１１に組み込むに際して上下方向を選別する必要がなく、組立工程を簡単にすることができる。また、中栓１０、栓体２０は、それぞれ、たとえば高密度ポリエチレン樹脂や低密度ポリエチレン樹脂により一体成形することができ、キャップ３０は、たとえばポリプロピレン樹脂により一体成形することができる。
【図面の簡単な説明】
【００２５】
【図１】全体模式縦断面図
【図２】使用状態を示す半断面組立図
【図３】模式動作説明図
【図４】他の実施の形態を示す構成説明図（１）
【図５】図４の使用状態を示す図２相当図
【図６】他の実施の形態を示す構成説明図（２）
【符号の説明】
【００２６】
Ｃ…容器
Ｃ1 …口部
１０…中栓
１１…スカート部
１２…ノズル部
１２ａ…ノズル孔
１２ｃ…チャンバ
１４…仕切壁
１４ａ…小孔
２０…栓体
２２ａ…小孔
特許出願人          伸晃化学株式会社
代理人  弁理士        松  田  忠  秋
【図１】
2008037481.tif 000003
【図２】
2008037481.tif 000004
【図３】
2008037481.tif 000005
【図４】
2008037481.tif 000006
【図５】
2008037481.tif 000007
【図６】
2008037481.tif 000008